(57)【要約】【課題】  使用時のずれ移動防止により良好な指圧効果が得られるようにすると共に、さらに多様な指圧効果が得られるようにした健康硬枕を提供する。【解決手段】  上下両面にそれぞれ互いに曲率半径Ｒ1 ，Ｒ1 が異なる円筒状の首部を載せる載置面２ａ，２ｂを形成し、これら載置面２ａ，２ｂにそれぞれ長手方向に平行に延びる多数の溝５または多数の突起６を形成した健康硬枕１である。また、他の健康硬枕１は、円筒状の首部を載せる載置面２ａ，２ｂを複数本の細板材３を相互間に溝５を形成するように長手方向に配列して形成し、これら細板材３をその幅方向が少なくとも載置面２ａ，２ｂに垂直な方向に対して左右に揺動かつ弾性復帰可能にした。【選択図】      図１
2005185690.tif 000002
【特許請求の範囲】
【請求項１】
上下両面にそれぞれ互いに曲率半径が異なる円筒状の首部を載せる載置面を形成し、これら載置面に長手方向に平行に延びる多数の溝または多数の突起を設けた健康硬枕。
【請求項２】
前記載置面を複数本の細板材または棒材を長手方向に平行に配列して形成し、これら細幅材または棒材の相互間に前記溝を形成した請求項１に記載の健康硬枕。
【請求項３】
円筒状の首部を載せる載置面を複数本の細板材または棒材を相互間に溝を形成するように長手方向に配列して形成し、これら細板材または棒材をその幅方向が少なくとも前記載置面に垂直な方向に対して左右に揺動かつ弾性復帰可能にした健康硬枕。
【請求項４】
前記細幅材または棒材の表面に前記多数の突起を設けた請求項１〜３のいずれかに記載の健康硬枕。
【請求項５】
前記細幅材または棒材を着脱自在にした請求項１〜３のいずれかに記載の健康硬枕。
【発明の詳細な説明】
【技術分野】
【０００１】
本発明は健康硬枕に関し、さらに詳しくは、使用時のずれ移動を防止すると共に、多様な指圧効果が得られるようにした健康硬枕に関する。
【背景技術】
【０００２】
首の頸椎は七つの椎骨からなるが、常に頭部の重量を支えているために変形を起こして身体各部に異常を発生する原因になることがある。このような椎骨の変形を予防し、かつ治療する方法として、図７に示すように、断面半円状の硬枕Ｐを首の後部に置くようにするとよいことが知られている（非特許文献１など）。このような硬枕を首の後部に当てた状態にして就寝すると、椎骨に張力がかけられて頸椎全体が伸ばされるように矯正されるため、目の疲れ、首の凝り、肩凝りなどがなくなったり、手足神経の麻痺などがなくなるのである。
【０００３】
しかし、従来の硬枕は枕胴体の表面が平滑な半円筒状であるため、首部の荷重がかかると首と枕胴体との間に滑りが生じて、図７中に矢印Ａで示すように、硬枕Ｐが肩側にずれる現象があり、この移動により耳の後部に対する指圧効果が低下してしまう。
【０００４】
しかしながら、硬枕の指圧効果は、特に耳の後部下方を押圧すると不眠改善に効き、また首の後部領域の特に髪の生え際（俗にツボの風池）を押圧すると、目の疲れ、首の凝りや肩凝りによく効くということがわかっている。したがって、上記のように枕自体が肩の方向にずれてしまうと、特別に良好に効く場所に対する指圧効果が半減してしまうことになる。
【０００５】
また、人間の首の長さや湾曲度合には個人差があるので、同一サイズの硬枕により全ての人に良好な同じ指圧効果を得るということは難しく、また同一の硬枕から多様な指圧効果を得ようとしても限界がある。このような多様性を満たすためには、極めて多種類の硬枕を用意しなければならないという問題がある。
【非特許文献１】西式健康法西会本部編「西式健康法入門」（平河出版社刊），第８６〜８７頁
【発明の開示】
【発明が解決しようとする課題】
【０００６】
本発明の目的は、上述した従来の問題を解消し、使用時のずれ移動を防止すると共に、一つの枕で多様な指圧効果が得られるようにした健康硬枕を提供することにある。
【課題を解決するための手段】
【０００７】
上記目的を達成する本発明の健康硬枕は、上下両面にそれぞれ互いに曲率半径が異なる円筒状の首部を載せる載置面を形成し、これら載置面に長手方向に平行に延びる多数の溝または多数の突起を設けたことを特徴とするものである。
【０００８】
また、本発明の他の健康硬枕は、円筒状の首部を載せる載置面を複数本の細板材または棒材を相互間に溝を形成するように長手方向に配列して形成し、これら細板材または棒材をその幅方向が少なくとも前記載置面に垂直な方向に対して左右に揺動かつ弾性復帰可能にしたことを特徴とするものである。
【発明の効果】
【０００９】
前後者いずれの本発明の場合も、首部を載せる載置面に長手方向に平行に延びる多数の溝または多数の突起を形成したので、この溝または突起により首と載置面との間の滑りを防止し、硬枕使用時における硬枕のずれ移動を防止するため、特に首の耳後部に対する指圧効果を一層向上することができる。
【００１０】
また、前者の本発明では、上下両面に互いに曲率半径が異なる円筒状の載置面を形成したため、その両面のいずれかを適宜選択することにより多様な指圧効果を得ることができる。また、上下両面の異なる円筒状の載置面によって、寝るときの枕の高さ、湾曲度合を使用者の体調に合わせて選択することができる。
【００１１】
後者の本発明では、細板材または棒材がその幅方向を少なくとも左右に揺動可能にしているため、各個人の首の長さや湾曲度合に応じて揺動角を変化することができ、一つの枕で多様な対応をすることが可能になる。
【発明を実施するための最良の形態】
【００１２】
以下、本発明を図に示す実施形態を参照して具体的に説明する。
【００１３】
図１は、本発明の実施形態からなる健康硬枕の全体を示し、図２はその側面を示したものである。
【００１４】
健康硬枕１は、上下両面にそれぞれ複数本の木製の細板材３を長手方向に平行に配置して首部を載せる載置面２ａ，２ｂを形成し、多数本の細板材３の相互間に溝５が平行に形成されている。細板材３の長手方向の両端部にはそれぞれ偏平状のスペーサ４，４が挿入され、そのスペーサ４の外周に細板材３が固定されている。固定手段は特に限定されないが、例えば、釘、ネジ、接着剤などを使用することができる。
【００１５】
スペーサ４，４は上下外周が互いに異なる曲率半径Ｒ1 ，Ｒ2 （Ｒ1 ＜Ｒ2 ）の円弧に形成され、この曲率半径の相違により上下の載置面２ａ，２ｂが互いに異なる円弧の円筒面を形成している。
【００１６】
上記構成の硬枕１を使用するときは、二つの載置面２ａ，２ｂのいずれか一方を表側にして布団の上に置き、図７に示すように、その表側にした載置面２ａ又は２ｂに首部を載せて首を左右に振るか、又は転動させると、首部に指圧をすることができる。特に首部を横断する方向に延びる溝５により、高い刺激の指圧を与えることができる。また、溝５の摩擦作用により載置面２ａ，２ｂの周方向に対して滑り難くするので、硬枕１が肩の方向へずり移動し難くなり、頸椎の１番から７番まで全体を指圧する。特に耳の後部や髪の生え際（ツボの風池）に効果的な刺激を与えることができる。また、曲率半径の違う二つの載置面２ａ，２ｂを選択的に使用することにより、指圧効果を多様に拡大することができる。
【００１７】
図３（Ａ），（Ｂ）は、図１の硬枕１に使用される細板材３に変えて、棒材を使用する場合を示す。図３（Ａ）の例では、半円形断面の棒材１３をその円周面側を表にして複数本を配列して、載置面２ａ，２ｂを形成したものである。また、図３（Ｂ）の例は、円形断面の棒材２３を複数本配列して載置面２ａ，２ｂを形成したものである。いずれの場合も、平行に並べた棒材１３又は２３の相互間に溝５を形成している。
【００１８】
また、図４（Ａ），（Ｂ）は、さらに他の実施形態を示す。図４（Ａ）の場合は、載置面２ａ，２ｂに多数の半球状の突起６を縦横に配列したものである。また、図４（Ｂ）の場合は、多数のブロック状の突起１６を縦横に配列したものである。いずれの場合も、これら突起６又は１６が配列されることで、それらの列間に溝５を形成している。
【００１９】
図３及び図４のいずれの実施形態も、前述した図１の細板材３で構成した硬枕１と同様に、載置面２ａ，２ｂの周方向に首部を滑り難くするため、硬枕１を肩の方向へずれ難くすることがでる。したがって、１番から７番までの全頸椎に指圧を与え、特に耳の後部や髪の生え際に効果的な指圧を与えることができる。
【００２０】
図５は、本発明の更に他の実施形態を示す。
【００２１】
この硬枕１は細板材３に固定ネジ７よりも径の大きな固定孔８を設け、この固定孔８にゴム製の弾性リング９を介在させて固定ネジ７を通すことにより、細板材３をスペーサ４に固定している。細板材３は、この構成により幅方向が載置面２ａに垂直な方向Ａに対して左右に揺動可能であると共に、弾性リング９の弾性力により元の状態に弾性復帰するようになっている。
【００２２】
この硬枕１は、首部を載置面２ａに載せると、その首部の湾曲度合に応じて細板材３が傾斜するため、どのような個人にも容易に多様に対応することができる。したがって、図５の硬枕１の場合には、載置面２ａは片面だけであってもよく、必ずしも図１の実施形態のように上下両面に設けなくてもよい。
【００２３】
図６は、さらに別の実施形態を示す。
【００２４】
この実施形態の硬枕１は、細板材３をゴム製の弾性板１０を介して接着剤によりスペーサ４に固定している。この構成により細板材３の幅方向が、載置面２ａに垂直な方向Ａに対して左右に揺動可能であると共に、弾性板１０の弾性力により元の状態に弾性復帰することができる。また、厚み方向（上下方向）にも変化すると共に、元の状態に弾性復帰するようになっている。
【００２５】
この硬枕１も、図５の場合と同様に、首部の湾曲度合に応じて細板材３が傾斜し、湾曲度合の個人差如何にかかわらず、多様に対応することができる。また、載置面２ａは片面だけであってもよく、必ずしも図１の実施形態のように上下両面に設けなくてもよい。
【００２６】
本発明の硬枕は、少なくとも首部が当たる細板材や棒材は硬い材料により構成される。硬い材料としては、木、竹、籐、プラスチック、硬質ゴム、金属などを例示することができる。或いは、硬質に加工したロープや布であってもよい。特に、竹、籐、硬質ゴム、バネ鋼などの弾性材で細板材や棒材を形成すると、細板材や棒材が適度の撓みを有するようになるので、個人毎に異なる首の長さや湾曲度合を吸収し、一層多様性を有する硬枕にすることができる。このような弾性材を使用する場合、棒材としてバネ鋼のコイルスプリングを使用したり、或いは細板材としてバネ鋼の薄板を使用すると、上記効果を一層向上することができる。
【００２７】
硬質材料で構成された硬枕は、指圧（マッサージ）を終了後に就寝用枕として使用する時は、裸のままで首部に当てるようにしてもよいが、キルティングなどの柔らかいシートで覆って使用してもよい。シートの形態としては、帯状であってもよく、或いは袋状に加工してその中に入れるようにしてもよい。
【００２８】
本発明において、細板材や棒材は着脱自在な構成にし、これら細板材及び／又は棒材として、形状や寸法が異なる複数種類の中から適宜選択し、色々な種類が混在した載置面を形成すると、さらに多様な指圧効果を得ることができる。また、図３や図４に例示した突起の場合も同様に着脱自在にし、形状や寸法が異なる複数種類の中から適宜選択するように組み合わると、上記と同様に多様な指圧効果を得ることができる。これら突起は、特に上記細板材や棒材の表面に着脱に設けるようにすることが好ましい。
【００２９】
本発明において、細板材や棒材間の溝の断面形状はＶ形であっても、矩形であってもよいが、開口面での溝幅は１〜１０ｍｍの範囲が好ましく、また溝深さは３〜１０ｍｍの範囲が好ましい。また、隣接する溝間のピッチは５〜３０ｍｍの範囲が好ましい。このように載置面に設ける溝の幅や深さやピッチを設定することにより、溝による首部に対する指圧効果を一層向上すると共に、硬枕使用時の位置ずれを一層効果的に防止することができる。
【００３０】
また、硬枕の高さとしては、３０〜１００ｍｍ程度が好ましい。また、載置面の曲率半径Ｒ1 ，Ｒ2 （Ｒ1 ＜Ｒ2 ）としては、３０〜２００ｍｍ程度であることが好ましい。
【図面の簡単な説明】
【００３１】
【図１】本発明の健康硬枕の実施形態を例示する斜視図である。
【図２】図１の健康硬枕の側面図である。
【図３】（Ａ），（Ｂ）は、それぞれ本発明の健康硬枕の載置面の他の態様を部分例示する斜視図である。
【図４】（Ａ），（Ｂ）は、それぞれ本発明の健康硬枕の載置面のさらに他の態様を部分例示する斜視図である。
【図５】本発明の他の実施形態からなる健康硬枕の要部のみを示す側面図である。
【図６】本発明の更に他の実施形態からなる健康硬枕の要部のみを示す側面図である。
【図７】従来の硬枕の使用方法を示す説明図である。
【符号の説明】
【００３２】
１  硬枕
２  枕胴体
２ａ，２ｂ  （首部の）載置面
３  細板材
１３，２３  棒材
４  スペーサ
５  溝
６，１６  突起
９  弾性リング
１０  弾性板
【図１】
2005185690.tif 000003
【図２】
2005185690.tif 000004
【図３】
2005185690.tif 000005
【図４】
2005185690.tif 000006
【図５】
2005185690.tif 000007
【図６】
2005185690.tif 000008
【図７】
2005185690.tif 000009